【手続補正書】
【提出日】平成25年3月14日(2013.3.14)
【手続補正１】
【補正対象書類名】特許請求の範囲
【補正対象項目名】全文
【補正方法】変更
【補正の内容】
【特許請求の範囲】
【請求項１】
無線チャネルから受信信号を受取り、前記受信信号からパケットの存在を検出する無線受信機であって、
適応パケット検出プロセスを有するパケット検出器と、
前記パケット検出器がパケットの存在を示す場合、前記受信信号を処理する論理と、
前記信号が本当にパケットを表すかどうかを判定する誤検出判定器と、
誤検出のメトリックが目標範囲外である場合、前記適応パケット検出プロセスを調整する論理と
を備え、前記適応パケット検出プロセスは、前記適応パケット検出プロセスを調整する論理および／または誤検出のメトリックに基づいて、所与の検出試験に関する閾値をしかるべく調整し、前記閾値の調整は、誤検出率が所望の最大誤検出率より高い場合、前記所与の試験に関する閾値を第１の増分値だけ上げ、前記誤検出率が所望の最小誤検出率より低い場合、前記所与の試験に関する閾値を同じまたは異なる増分値だけ下げ、前記誤検出率が前記所望の最小誤検出率と前記所望の最大誤検出率の間にある場合、前記閾値を変更しない、無線受信機。
【請求項２】
前記誤検出のメトリックは、誤検出率である、請求項１に記載の無線受信機。
【請求項３】
前記目標範囲は、最大誤検出率を限度とし、前記適応パケット検出プロセスを調整する論理は、前記最大誤検出率に近づくか、前記最大誤検出率と等しいか、および／または、前記最大誤検出率を超える場合、検出閾値を、検出に関しより選択的であるように調整する論理を含む、請求項２に記載の無線受信機。
【請求項４】
前記誤検出のメトリックは、信号がパケットであると見なされた回数と比較した、信号がパケットであると見なされたがそうではなかった比率である、請求項１に記載の無線受信機。
【請求項５】
前記誤検出判定器は、フレーム開始デリミタ（ＳＦＤ）を探索する論理を含み、その探索の失敗は、誤検出と判定される、請求項１に記載の無線受信機。
【請求項６】
前記誤検出判定器は、トレーニング・シンボルの異形が存在するかどうかを判定する論理を含み、その存在は、誤検出に起因すると判定される、請求項１に記載の無線受信機。
【請求項７】
周波数オフセットのメトリックの良好でないコンディショニングは、誤検出と見なされる条件である、請求項１に記載の無線受信機。
【請求項８】
ＯＦＤＭタイミングの良好でないコンディショニングは、誤検出と見なされる条件である、請求項１に記載の無線受信機。
【請求項９】
復号されたフレーム中の間違ったデータの存在は、誤検出と判定される、請求項１に記載の無線受信機。
【請求項１０】
前記誤検出判定器は、非参加ネットワークからのパケットを識別する論理を含み、非参加ネットワークからのパケットの識別は、誤検出と見なされる、請求項１に記載の無線受信機。
【請求項１１】
前記誤検出判定器は、パケット・プリアンブルであると仮定された受信信号の第１の部分についての検出メトリックを使用し、前記受信信号の第２の部分についての前記検出メトリックを使用し、一方または両方の使用が誤検出を示す場合、前記信号を誤検出と見なす、請求項１に記載の無線受信機。
【請求項１２】
前記誤検出判定器は、間違った信号または間違ったサービス・フィールドを検出し、それらを誤検出と見なす論理を含む、請求項１に記載の無線受信機。
【請求項１３】
前記誤検出判定器は、パケット構造中の異形を検出し、それを誤検出と見なす論理を含む、請求項１に記載の無線受信機。
【請求項１４】
前記誤検出判定器は、前記無線受信機が、見なしパケットとして信号を処理している場合、受信信号電力の予期しない上昇を誤検出と見なす、請求項１に記載の無線受信機。
【請求項１５】
前記誤検出率が前記上げられたまたは下げられた増分値を超えるにもかかわらず、増分および減分が行われない、請求項１に記載の無線受信機。
【請求項１６】
前記パケット検出器は、入って来る信号のエネルギー・レベルにしたがってパケットを検出する、請求項１に記載の無線受信機。
【請求項１７】
前記パケット検出器は、入って来る信号の差分エネルギー・レベルにしたがってパケットを検出する、請求項１に記載の無線受信機。
【請求項１８】
前記パケット検出器は、相互相関試験にしたがってパケットを検出する、請求項１に記載の無線受信機。
【請求項１９】
前記パケット検出器は、自己相関試験にしたがってパケットを検出する、請求項１に記載の無線受信機。
【請求項２０】
複数の受信アンテナを使用して、無線チャネルから受信ＭＩＭＯ信号を受取り、前記受信ＭＩＭＯ信号からパケットの存在を検出する無線ＭＩＭＯ受信機であって、
適応パケット検出プロセスを有するパケット検出器と、
前記パケット検出器がパケットの存在を示す場合、前記受信信号を処理する論理と、
前記信号が本当にパケットを表すかどうかを判定する誤検出判定器と、
誤検出のメトリックが目標範囲外である場合、前記適応パケット検出プロセスを調整する論理と
を備え、前記適応パケット検出プロセスは、前記適応パケット検出プロセスを調整する論理および／または前記誤検出のメトリックに基づいて、所与の検出試験に関する閾値をしかるべく調整し、前記閾値の調整は、誤検出率が所望の最大誤検出率より高い場合、前記所与の試験に関する閾値を第１の増分値だけ上げ、前記誤検出率が所望の最小誤検出率より低い場合、前記所与の試験に関する閾値を同じまたは異なる増分値だけ下げ、前記誤検出率が前記所望の最小誤検出率と前記所望の最大誤検出率の間にある場合、前記閾値を変更しない、無線ＭＩＭＯ受信機。
【請求項２１】
前記誤検出のメトリックは、誤検出率であり、前記目標範囲は、所定の閾値未満の誤検出率である、請求項２０に記載の無線ＭＩＭＯ受信機。
【請求項２２】
複数の受信アンテナを使用して、無線チャネルから受信信号を受取り、前記受信信号からパケットの存在を検出する無線受信機であって、前記無線チャネルは複数の無線チャネルの中から選択され、前記無線受信機は、
複数の無線チャネルの中から、信号を受信するチャネルを選択するチャネル選択器と、
前記複数のチャネルの各々に関する適応パケット検出プロセスを有するパケット検出器と、
前記パケット検出器が前記選択されたチャネルにおけるパケットの存在を示す場合、前記受信信号を処理する論理と、
前記信号が本当にパケットを表すかどうかを判定する誤検出判定器と、
誤検出のメトリックが目標範囲外である場合、前記適応パケット検出プロセスを調整する論理と、
前記選択されたチャネルに関する前記誤検出のメトリックにしたがって信号処理ステップを調整する論理と
を備え、前記適応パケット検出プロセスは、前記適応パケット検出プロセスを調整する論理および／または前記誤検出のメトリックに基づいて、所与の検出試験に関する限度をしかるべく調整し、前記限度の調整は、誤検出率が所望の最大誤検出率より高い場合、前記所与の試験に関する限度を第１の増分値だけ上げ、前記誤検出率が所望の最小誤検出率より低い場合、前記所与の試験に関する限度を同じまたは異なる増分値だけ下げ、前記誤検出率が前記所望の最小誤検出率と前記所望の最大誤検出率の間にある場合、前記限度値を変更しない、無線受信機。
【請求項２３】
前記誤検出のメトリックは、誤検出率であり、前記目標範囲は、所定の閾値未満の誤検出率である、請求項２２に記載の無線受信機。